(57)【要約】【課題】  ＲＦＩＤタグ内蔵式光ディスクにおいては、慣性モーメントの平衡が失われており、光ディスク装置で回転させた際に振動や回転ムラが発生するという課題がある。【解決手段】  ＲＦＩＤタグ１６は、光ディスク１０のデータ記録領域１１の最内周側と中心孔１２との間の環状領域１３に、その環状領域１３の周方向に沿って導線を巻回させて構成したアンテナ１４とそのアンテナ１４の両端に接続したＩＣチップ１５とからなるが、慣性モーメントの平衡が保たれるように質量要素としてのダミーブロック１７を埋設する。また、一般的には、光ディスクの直径で前記環状領域を２分割した場合の各分割部分の光ディスクの中心に関する慣性モーメントが相互に等しくなるという条件が、如何なる方向の直径で分割しても成立するようにダミー質量要素を埋設する。【選択図】  図１
2005209323.tif 000002
【特許請求の範囲】
【請求項１】
データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤ（Radio Frequency-Identification）タグを埋設したＲＦＩＤタグ内蔵式光ディスクにおいて、
光ディスクを如何なる方向の直径で分割しても、その各分割部分の光ディスクの中心に関する慣性モーメントが相互に等しくなるように、前記環状領域にダミー質量要素を埋設したことを特徴とするＲＦＩＤタグ内蔵式光ディスク。
【請求項２】
データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤタグを埋設したＲＦＩＤタグ内蔵式光ディスクにおいて、
複数のＩＣチップを前記光ディスクの中心から等距離で且つ等しい中心角を有する位置に埋設すると共に、前記各ＩＣチップに接続される各アンテナは、それぞれ巻回数が異なっており、それぞれの巻回領域が前記光ディスクの中心に関して同心状になるように埋設されていることを特徴とするＲＦＩＤタグ内蔵式光ディスク。
【請求項３】
データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤタグを埋設したＲＦＩＤタグ内蔵式光ディスクにおいて、
前記ＩＣチップを前記アンテナの内側に配置すると共に、前記光ディスクの中心に関する前記ＩＣチップの慣性モーメントを打ち消し、且つ前記光ディスクの中心に関して前記アンテナ自体が有する慣性モーメントの偏りを打ち消すように、前記アンテナを配置させたことを特徴とするＲＦＩＤタグ内蔵式光ディスク。
【請求項４】
光ディスクにおけるデータ記録領域の最内周側と中心孔との間に構成される環状領域側に複数のＩＣチップを埋設し、光ディスク装置のクランパ側に周方向に沿って導線を１回又は２回以上の異なる回数で巻回させて構成した複数のアンテナを内蔵させ、前記光ディスクが前記光ディスク装置側のターンテーブルと前記クランパの間に挟持された状態で、前記各ＩＣチップと前記各アンテナの両端とを接続させて複数のＲＦＩＤタグを構成する方式であって、
前記光ディスク側の前記環状領域には、前記各ＩＣチップと複数のマグネットがそれぞれ前記光ディスクの中心から等距離で且つ等しい中心角を有する位置に埋設されていると共に、前記各ＩＣチップの各端子電極面と前記各マグネットの吸着面とが前記環状領域の表面に露出せしめられており、
一方、前記クランパ側には、各アンテナをそれぞれの巻回領域が中心軸に関して同心状になるように埋設し、前記光ディスクを挟持する圧接面における前記光ディスク側の前記各ＩＣチップの各端子電極面と前記各マグネットの吸着面に対向する位置に、前記各アンテナに接続された各端子電極面とクランパ側マグネットの吸着面とがそれぞれ露出せしめられている
ことを特徴とする光ディスクのＲＦＩＤタグ構成方式。
【発明の詳細な説明】
【技術分野】
【０００１】
本発明は、ＲＦＩＤ（Radio Frequency-Identification）タグを内蔵させて著作権情報やＴＯＣ（table of contents）情報や不正コピー防止用の暗号情報等を一時的に記憶させることが可能な光ディスク、及び光ディスクにＩＣチップだけを埋設しておいてクランパ側に構成したアンテナとの接続によってＲＦＩＤタグを構成する方式に関する。
【背景技術】
【０００２】
近年、電磁波を用いた非接触の自動認識技術であるＲＦＩＤの開発が目覚しく、特にＩＣチップ内のメモリに対して非接触の状態でデータをリード／ライトできるＲＦＩＤタグが次世代のバーコードとして注目されている。
このＲＦＩＤタグは、無線通信機能とメモリ機能とリード／ライト機能と電源整流機能を内蔵した極めて小さなＩＣチップ（例えば０.５mm角程度）に対してコイル状に巻回されたアンテナとから構成され、リーダライタ側との間で電磁誘導方式によって起電力を発生させながら無線通信によってデータのやり取りを行うものである。
【０００３】
そして、ＲＦＩＤタグの利用用途の一つとして、下記特許文献１では、光ディスクにＲＦＩＤタグを内蔵させ、光ディスクのデータ記録領域に記録した番組情報や頭出し情報をＲＦＩＤタグのメモリに記憶させておき、それをインデックス装置として用いるような提案がなされている。
具体的には、図８の（Ａ）は光ディスクの平面図、（Ｂ）は同平面図におけるＹ-Ｙ矢視断面図であり、光ディスク１００のデータ記憶領域１０１の最内周側と中心孔１０２との間に構成される環状領域１０３に、その環状領域１０３の周方向に沿って導線を１回又は２回以上巻回させて構成したアンテナ１０４とそのアンテナ１０４の両端に接続されたＩＣチップ１０５とを埋設することによりＲＦＩＤタグ１０６を構成している。
【０００４】
また、図９は、前記の光ディスク１００を光ディスク装置にセットした状態でＲＦＩＤタグ１０６のＩＣチップ１０５に対してインデックス情報等のデータをリード／ライトする際の構成を示すブロック回路図である。
但し、光ディスク装置側についてはＲＦＩＤタグ１０６との通信部等の関連部分だけが示されている。
【０００５】
ここで、光ディスク１００側のＩＣチップ１０５は、ＲＦ（無線高周波）回路１２１と変調回路１２２と復調回路１２３とＣＰＵ１２４とメモリ１２５と電源回路１２６とからなり、ＲＦ回路１２１にアンテナ１０４が接続されている。
そして、データのリード／ライトに際しては、ＣＰＵ１２４がメモリ１２５から読み出したインデックス情報を変調回路１２２で変調した後、ＲＦ回路１２１で増幅してアンテナ１０１から光ディスク装置側へ送信し、逆に、アンテナ１０１で受信した光ディスク装置側の送信信号をＲＦ回路１２１で増幅して復調回路１２３で復調し、ＣＰＵ１２４が復調されたインデックス情報をメモリ１２５へ格納させる。
【０００６】
一方、光ディスク装置側の関連部分２００は、２つのアンテナ２０１a，２０１bとＲＦ回路２０２と変調回路２０３と復調回路２０４とＣＰＵ２０５と電源回路２０６とからなり、ＣＰＵ２０５が記憶手段２０７から読み出したインデックス情報を変調回路２０３で変調した後、ＲＦ回路２０２で増幅してアンテナ２０１aから光ディスク１００側へ送信し、逆に、アンテナ２０１aで受信した光ディスク１００側の送信信号をＲＦ回路２０２で増幅して復調回路２０４で復調し、ＣＰＵ２０５が復調されたインデックス情報を記憶手段２０７へ格納させ、また表示部２０８に表示させるようになっている。
【０００７】
尚、光ディスク１００側のＩＣチップ１０５の駆動電力は電磁誘導方式で供給されるようになっており、コイル状のアンテナ１０４が光ディスク装置側から電波を受信している状態で電源回路１２６に内蔵されているコンデンサとアンテナ１０４とで構成された共振回路が共振し、コンデンサに充電された電力を整流・安定化して供給される。
また、光ディスク装置側のアンテナ２０２bは、光ディスク１００をターンテーブルにセットした状態でなく、パネル面に近づけた状態でも送受信を可能にするためのものであり、その場合も前記と同様の動作によってインデックス情報のリード／ライトを行える。
【０００８】
【特許文献１】特開２００１−２９７５６８号公報
【発明の開示】
【発明が解決しようとする課題】
【０００９】
前記特許文献１のＲＦＩＤタグ内蔵式光ディスクは、図８に示すように、環状領域１０３にアンテナ１０４とＩＣチップ１０５を埋設させているが、ＩＣチップ１０５は単一であるために環状領域１０３内の１箇所に配置せざるを得ず、アンテナ１０についても渦巻状の構成になるために光ディスク１００の中心に対して対称性を有しているわけではない。
【００１０】
そして、そのことは、光ディスク１００を光ディスク装置のターンテーブルにセットして回転させた際に光ディスク１００に作用する遠心力に偏りを生じさせて振動や回転ムラを発生させる要因となる。
特に、最近の光ディスク装置ではデータの転送レートを高めるために光ディスクを高速回転させるものが多く、前記遠心力は回転速度の２乗に比例することから、サーボ制御を行っていても光ディスクに対するデータのリード／ライト精度が低下してエラーが多発することが予想される。
また、光ディスクは益々高密度記録化される傾向にあり、僅かな振動や回転ムラであってもリード／ライトエラーを発生させる可能性が高くなる。
【００１１】
そこで、本発明は、ＲＦＩＤタグ内蔵式光ディスクについて回転時に遠心力の偏りが生じない構成を実現し、以って、ＲＦＩＤタグを様々な態様で利用しながら高精度なリード／ライトを可能にした光ディスクを提供することを目的として創作された。
【課題を解決するための手段】
【００１２】
第１の発明は、データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤタグを埋設したＲＦＩＤタグ内蔵式光ディスクにおいて、光ディスクを如何なる方向の直径で分割しても、その各分割部分の光ディスクの中心に関する慣性モーメントが相互に等しくなるように、前記環状領域にダミー質量要素を埋設したことを特徴とするＲＦＩＤタグ内蔵式光ディスクに係る。
【００１３】
前記課題で説明した光ディスクに作用する遠心力に偏りが発生する原因は、ＲＦＩＤタグ内蔵させたことで、光ディスクの直径で環状領域を２分割した場合の各分割部分の光ディスクの中心に関する慣性モーメンの平衡が失われたからである。
この発明では、その問題に対してダミー質量要素を埋設することで前記慣性モーメントの平衡が保たれるように補正し、光ディスクに作用する遠心力の偏りをキャンセルさせている。
【００１４】
第２の発明は、データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤタグを埋設したＲＦＩＤタグ内蔵式光ディスクにおいて、複数のＩＣチップを前記光ディスクの中心から等距離で且つ等しい中心角を有する位置に埋設すると共に、前記各ＩＣチップに接続される各アンテナは、それぞれ巻回数が異なっており、それぞれの巻回領域が前記光ディスクの中心に関して同心状になるように埋設されていることを特徴とするＲＦＩＤタグ内蔵式光ディスクに係る。
【００１５】
この発明は、光ディスクに使用周波数帯の異なる複数のＲＦＩＤタグを内蔵させる場合の構成に関する。
第１の発明では、ＲＦＩＤタグが単一の場合にはＩＣチップが一つであり、ダミー質量要素で補正せざるを得ないが、ＲＦＩＤタグが複数の場合には、各ＲＦＩＤタグのＩＣチップを光ディスクの中心から等距離で且つ等しい中心角を有する位置に埋設させれば、上記慣性モーメントの平衡を保たせることができる。
各ＲＦＩＤタグのアンテナについても渦巻状の構成になるために上記慣性モーメントの平衡を失わせる要因となるが、周方向に沿って巻回されているために小さな不均衡でしかなく、各アンテナの巻回領域を光ディスクの中心に関して同心状に埋設させるようにしておけばよい。
【００１６】
第３の発明は、データ記録領域の最内周側と中心孔との間の環状領域に、その環状領域の周方向に沿って導線を１回又は２回以上巻回させて構成したアンテナとそのアンテナの両端に接続したＩＣチップとからなるＲＦＩＤタグを埋設したＲＦＩＤタグ内蔵式光ディスクにおいて、前記ＩＣチップを前記アンテナの内側に配置すると共に、前記光ディスクの中心に関する前記ＩＣチップの慣性モーメントを打ち消し、且つ前記光ディスクの中心に関して前記アンテナ自体が有する慣性モーメントの偏りを打ち消すように、前記アンテナを配置させたことを特徴とするＲＦＩＤタグ内蔵式光ディスクに係る。
【００１７】
この発明は、ＩＣチップが集中的な質量要素であり、環状領域に沿って巻回されたアンテナよりも慣性モーメントの偏りを生じさせ易いことを考慮して、ＩＣチップをアンテナの内側に配置させることで慣性モーメントの偏りを可能な限り小さくしている。
そして、ＩＣチップによる慣性モーメントの偏りと、一般的に渦巻状コイルとなるアンテナ自体が有する慣性モーメントの偏りを打ち消させるようにアンテナの配置位置を設定すれば、第１の発明のようにダミー質量要素を用いることなく慣性モーメントの平衡が保つことができる。
【００１８】
第４の発明は、光ディスクにおけるデータ記録領域の最内周側と中心孔との間に構成される環状領域側に複数のＩＣチップを埋設し、光ディスク装置のクランパ側に周方向に沿って導線を１回又は２回以上の異なる回数で巻回させて構成した複数のアンテナを内蔵させ、前記光ディスクが前記光ディスク装置側のターンテーブルと前記クランパの間に挟持された状態で、前記各ＩＣチップと前記各アンテナの両端とを接続させて複数のＲＦＩＤタグを構成する方式であって、前記光ディスク側の前記環状領域には、前記各ＩＣチップと複数のマグネットがそれぞれ前記光ディスクの中心から等距離で且つ等しい中心角を有する位置に埋設されていると共に、前記各ＩＣチップの各端子電極面と前記各マグネットの吸着面とが前記環状領域の表面に露出せしめられており、一方、前記クランパ側には、各アンテナをそれぞれの巻回領域が中心軸に関して同心状になるように埋設し、前記光ディスクを挟持する圧接面における前記光ディスク側の前記各ＩＣチップの各端子電極面と前記各マグネットの吸着面に対向する位置に、前記各アンテナに接続された各端子電極面とクランパ側マグネットの吸着面とがそれぞれ露出せしめられていることを特徴とする光ディスクのＲＦＩＤタグ構成方式に係る。
【００１９】
この発明は、第２の発明と同様に光ディスクに使用周波数が異なる複数のＲＦＩＤタグを与えるものであるが、各アンテナをクランパ側に内蔵させておき、光ディスクをターンテーブルにクランプさせた状態で各ＲＦＩＤタグを構成するようになっている。
光ディスク側への各ＩＣチップの埋設の仕方、及びクランパ側への各アンテナの埋設の仕方は基本的には第２の発明と同様に上記慣性モーメントの平衡を保たせるようにしており、各ＩＣチップと各アンテナとは端子電極の接合によって接続されると共に、その周方向に関する位置決めはマグネット同士の吸着によって行われる。
この発明によれば、クランパ側に内蔵させたアンテナを全ての光ディスクに共用でき、光ディスクにはＩＣチップとマグネットを埋設させるだけでよく、光ディスクの製造が簡単になる。
【発明の効果】
【００２０】
第１乃至第３の発明によれば、慣性モーメントの平衡をとることにより振動や回転ムラの発生しないＲＦＩＤタグ内蔵式光ディスクを構成でき、高密度記録・高速回転の条件下でも高精度なリード／ライトを可能にする。
第１の発明では、ダミー質量要素を埋設という極めて簡単な手段で慣性モーメントの平衡をとることができるため設計が容易である。
第２の発明のＲＦＩＤタグ内蔵式光ディスクでは、複数のＲＦＩＤタグが内蔵でき、且つそれらに対して排他的に同時通信できるため、一方を他方のデータバックアップ用に用いる方法や、一方を著作権情報やインデックス情報や制御情報等の格納用に、他方を光ディスクに対する主情報のリード／ライト時におけるデータバッファ用として動的に用いる方法等のように様々な方法で利用できる。
また、第３の発明のＲＦＩＤタグ内蔵式光ディスクでは、単一のＲＦＩＤタグを内蔵させる場合にあっても、ダミー質量要素を用いることなく慣性モーメントの平衡をとることが可能である。
第４の発明によれば、光ディスクに関して第２の発明と同様の効果を有すると共に、クランパ側に内蔵させたアンテナを全ての光ディスクに共用でき、光ディスクにはＩＣチップとマグネットを埋設させるだけでよいため、光ディスクの製造コストを低減化できる。
【発明を実施するための最良の形態】
【００２１】
以下、本発明のＲＦＩＤタグ内蔵式光ディスク及び光ディスクのＲＦＩＤタグ構成方式の実施形態を図１から図７を用いて詳細に説明する詳細に説明する。
［実施形態１］
この実施形態は前記第１の発明に係るものであり、光ディスクの構成は図１及び図２に示される。
先ず、図１は光ディスクの平面図（Ａ）とそのＹ-Ｙ矢視断面図（Ｂ）であり、従来技術の欄で説明した図８の場合と同様に、光ディスク１０のデータ記憶領域１１の最内周側と中心孔１２との間に構成される環状領域１３に、その環状領域１３の周方向に沿って導線を４回巻回させて構成したアンテナ１４とそのアンテナ１４の両端に接続されたＩＣチップ１５とを埋設することによりＲＦＩＤタグ１６が構成されている。
尚、アンテナ１４を構成する導線の巻回数は１回又は２回以上であればよく、ＲＦＩＤタグ１６の使用周波数帯はアンテナ１４のコイルとしてのインダクタンスによって決定される。
【００２２】
この実施形態の特徴は、光ディスク１０の中心１０cに関してＩＣチップ１５と対称な位置に、そのＩＣチップ１５と同等の質量を有したダミーブロック１７を埋設した点にある。
このダミーブロック１７は、ＩＣチップ１５と同一のＩＣチップを用いるようにしてもよいが、ＩＣチップ１５と同一形態のブロックとした場合に同一の重量となるような比重の材料を用いて構成してもよい。
【００２３】
ダミーブロック１７を設けない場合（即ち、図８の場合）、環状領域１３を図１（Ａ）のＸ-Ｘ線で分割した場合における各分割部分の光ディスク１０の中心１０cに関する慣性モーメントは、ＩＣチップ１５のある方が大きくなって平衡が失われているが、前記ダミーブロック１７を設けたことによって各分割部分の前記慣性モーメントが同等になる。
尚、アンテナ１４は渦巻状に巻回されており、アンテナ１４も前記慣性モーメントの平衡を失わせる要因ではあるが、その巻回領域は光ディスク１０の中心１０cに対してほぼ同心円状の領域になっているため、大きな不均衡要素とはならない。
【００２４】
従って、光ディスク１０が回転した際に作用する遠心力は常に平衡関係を保ち、振動や回転ムラの発生を無くすることができる。
そして、光ディスク１０の回転速度が高速化してアンテナ１４に係る不均衡要素の影響が無視できないような場合においても、その不均衡をキャンセルさせるために、図２に示すように、質量要素として円弧状線材１８を埋設させる等の手段によって解消することができる。
【００２５】
［実施形態２］
この実施形態は前記第２の発明に係るものであり、光ディスクの構成は図３に示される。
同図は、図１の場合と同様に光ディスクの平面図（Ａ）とそのＹ-Ｙ矢視断面図（Ｂ）であるが、この実施形態では光ディスク２０のデータ記憶領域１１の最内周側と中心孔１２との間に構成される環状領域１３に２つのＲＦＩＤタグ２３,２６が埋設されている点に特徴がある。
【００２６】
そして、各ＲＦＩＤタグ２３,２６のＩＣチップ２１，２４は光ディスク２０の中心２０cに関して対称位置に配設され、ＲＦＩＤタグ２３側のアンテナ２２は各ＩＣチップ２１，２４の配設位置より内側に、ＲＦＩＤタグ２６側のアンテナ２５は各ＩＣチップ２１，２４の配設位置より外側に巻回構成されている。
【００２７】
従って、実施形態１の場合と同様に、環状領域１３をＸ-Ｘ線で分割した場合における各分割部分の光ディスク２０の中心２０cに関する慣性モーメントは等しくなっており、光ディスク２０が回転した際に作用する遠心力は常に平衡関係を保つために振動や回転ムラが発生しない。
また、各アンテナ２２，２５は巻回数が異ならしめてあり、各ＲＦＩＤタグ２３,２６の共振周波数は異なっている。
【００２８】
この実施形態の光ディスク２０には図４に示すような光ディスク装置が適用される。
同図において、３１はローダ部、３２はローダ駆動部、３３はターンテーブル・スピンドルモータ、３４は光ピックアップ、３５はサーボ制御部、３６は表示部、３７は操作部、３８は信号処理部、３９は入出力Ｉ／Ｆ、３０はシステム制御部であり、それらは一般的に光ディスク装置が有している構成要素である。
この光ディスク装置は、ＲＦＩＤタグ内蔵式の光ディスク２０に対応するための回路として、２つのコイル状のアンテナ５１，５２と、それらアンテナ５１，５２に対するＲＦ回路５３と、変調回路５４と、復調回路５５と、ＲＦＩＤ制御部５６を備えている点に特徴がある。
ここで、各アンテナ５１，５２はそれぞれローダ部３１に引き込まれた光ディスク２０の中央部に対向する位置に取り付けられており、各アンテナ５１，５２とＲＦ回路５３とで構成される各共振周波数はそれぞれ各ＲＦＩＤタグ２３,２６の使用周波数帯と一致させてある。
【００２９】
この光ディスク装置によれば、ローダ部３１に光ディスク２０が引き込まれてターンテーブル・スピンドルモータ３３にセットされると、ＲＦＩＤ制御部５６がＲＦ回路５３・変調回路５４・復調回路５５を起動させ、光ディスク２０の各ＲＦＩＤタグ２３,２６に対して各種データをリード／ライトすることができる。
即ち、先ず、光ディスク装置側のＲＦ回路５３の起動によって各アンテナ５１，５２から２つの搬送周波数の電波が放射され、その電磁波によって光ディスク２０のＲＦＩＤタグ２３,２６のアンテナ２２，２５には誘導起電力が生じ、各ＩＣチップ２１，２４ではその起電力を電源回路で整流・安定化した直流駆動電力を得てＯＮ状態となる。
その状態で、光ディスク装置側では、光ディスク２０の各ＲＦＩＤタグ２３,２６に書き込むべきデータを変調回路５４へ入力し、変調回路５４で変調した後、ＲＦ回路５３で増幅して各アンテナ５１，５２から送信するが、ＲＦＩＤ制御部５６がＲＦ回路５３を制御することにより、各アンテナ５１，５２の内の何れから送信するか（何れの周波数帯で送信するか）、又は双方のアンテナ５１，５２から同時に送信するかを設定することができる。
一方、ＯＮ状態になっている光ディスク２０のＲＦＩＤタグ２３,２６では、光ディスク装置側から送信された電波を受信して復調し、その復調したデータを内蔵メモリに書き込んで格納させる。
その場合、前記のように２つの周波数帯で送信されているため、対応した周波数のＲＦＩＤタグ２３,２６がデータを格納することになる。
逆に、ＲＦＩＤタグ２３,２６に既にデータが格納されている場合には、光ディスク装置側から選択的にデータ要求信号を送信し、その信号を受信した光ディスク２０のＲＦＩＤタグ２３,２６が内蔵メモリからデータを読み出してアンテナ２２，２５から送信する。
そして、光ディスク装置側ではアンテナ５１，５２で受信した信号を復調回路５５で復調し、信号処理部３８で処理して各受信データの内容に応じた利用に供する。
【００３０】
この実施形態における光ディスク２０のＲＦＩＤタグ２３,２６の利用方法としては、例えば、双方に同一データを書き込んでおいて一方を他方のバックアップ用に利用する方法や、一方に光ディスクに記録される主情報に係る著作権情報やＴＯＣ情報やディスクの種別情報等の格納用とし、他方を主情報のリード／ライト時におけるデータバッファ用に利用するような方法や、一方のＲＦＩＤタグに格納されているデータのパリティ情報を他方のＲＦＩＤタグに格納しておく方法等が考えられる。
尚、この実施形態ではＲＦＩＤタグを２個埋設する場合について説明しているが、当然に３個以上であってもよく、Ｎ個（Ｎは３以上の整数）の場合であれば各ＩＣチップは中心角にして（３６０／Ｎ）°の位置に埋設されることになる。
【００３１】
［実施形態３］
この実施形態は前記第３の発明に係るものであり、光ディスクの構成は図５及び図６に示される。
図５は、図１の場合と同様に光ディスクの平面図（Ａ）とそのＹ-Ｙ矢視断面図（Ｂ）であり、光ディスク４０のデータ記憶領域１１の最内周側と中心孔１２との間に構成される環状領域１３に、周方向に沿って導線を４回巻回させて構成したアンテナ４４とそのアンテナ４４の両端に接続されたＩＣチップ４５とを埋設してＲＦＩＤタグ４６を構成していることは実施形態１の場合と同様である。
【００３２】
この実施形態の特徴は、実施形態１ではＩＣチップ４５がアンテナ４４の外側に配置されていたのに対して、ＩＣチップ４５をアンテナ４４の内側に配置させて、ＩＣチップ４５の光ディスク４０の中心４０cに関する慣性モーメントを小さくしており、また、アンテナ４４の配置位置によって光ディスク４０の中心４０cに関する慣性モーメントの平衡が確保されている点にある。
即ち、ＩＣチップ４５はアンテナ４４の内周側と光ディスク４０の中心孔１２の間に配置され、そのＩＣチップ４５の配置によって生じる慣性モーメントを打ち消すと共に、渦巻状に巻回されたアンテナ４４自体が生じさせる慣性モーメントの不均衡も併せて打ち消すように、アンテナ４４の配置位置が設定されている。
【００３３】
より具体的には、図１におけるアンテナ４４の配置位置を基準にした場合に、図６に示すように、ＩＣチップ４５の慣性モーメントを打ち消すための質量をＸ−Ｘ軸に関して反対側に配置させるようにＹ軸方向へΔＹだけずらせ、また、図１の状態ではアンテナ４４がＹ−Ｙ軸に関して左側のコイル線の合計長さが大きくなっているために右側へΔＸだけずらせた配置位置が設定される。
その結果、この実施形態によれば、単一のＲＦＩＤタグ４６を光ディスク４０に埋設する場合にあっても、実施形態１のようにダミー質量要素を用いることなく、光ディスク４０の中心４０cに関する慣性モーメントの平衡が確保でき、振動や回転ムラの発生を無くすることができる。
【００３４】
［実施形態４］
この実施形態は前記第４の発明に係るものであり、光ディスクと光ディスク装置側のクランプ部の構成は図７に示される。
同図において、６０は光ディスク、７０はスピンドルモータ、７１はスピンドルモータ７０に取り付けられているターンテーブル、８０はクランパであり、光ディスク装置ではターンテーブル７１にセットされた光ディスク６０をクランパ８０で押圧して挟持させるようになっている。
この実施形態では、図７の（Ａ）に示すように、光ディスク６０のデータ記憶領域の最内周側と中心孔との間に構成される環状領域に２つのＩＣチップ６１，６２と２つのマグネット６３，６４が埋設されており、それらＩＣチップ６１，６２の端子電極６１a，６１b，６２a，６２bとマグネット６３，６４の吸着面が表面に露出せしめられている。
また、各ＩＣチップ６１，６２と各マグネット６３，６４はそれぞれ光ディスク６０の中心に対して対称位置に配設され、光ディスク６０の中心から等距離で且つ等しい中心角（９０°）をなす位置に埋設されている。
尚、各マグネット６３，６４における６３a，６４a側はＮ極の面を、６３b，６４b側はＳ極の面を示す。
【００３５】
一方、クランパ８０側には、図７の（Ｂ）に示すように、２つのコイル状のアンテナ８１，８２と２つのマグネット８３，８４が埋設されており、各アンテナ８１，８２の端子電極８１a，８１b，８２a，８２bとマグネット８３，８４の吸着面が光ディスク６０を挟圧する側の表面に露出せしめられている。
また、各アンテナ８１，８２はそれぞれの巻回領域がクランパ８０の中心軸（回転軸）に関して同心状になるように埋設してある。
尚、マグネット８３，８４における８３a，８４a側はＮ極の面を、８３b，８４b側はＳ極の面を示す。
そして、クランパ８０の光ディスク６０を挟圧する側の表面における各端子電極８１a，８１b，８２a，８２bとマグネット８３，８４の吸着面の配設位置は、図７の（Ｃ）に示すように、光ディスク６０側の端子電極６１a，６１b，６２a，６２bとマグネット６３，６４の吸着面の配設位置に対応させてある。
即ち、クランパ８０を光ディスク６０に挟圧させた際に、各アンテナ８１，８２の端子電極８１a，８１b，８２a，８２bがそれぞれＩＣチップ６１，６２の端子電極６１a，６１b，６２a，６２bと対向して接合し、またマグネット８３，８４の吸着面８３a，８３b，８４a，８４bが光ディスク６０側のマグネット６３，６４の吸着面６３b，６３a，６４b，６４aにそれぞれ対向して接合するようになっている。
【００３６】
ここで、クランパ８０側の各マグネット８３，８４と光ディスク６０側のマグネット６３，６４は対向するように設定されており、個々の対向関係ではＮ極とＳ極とが逆の配置関係になっているため、光ディスク装置が光ディスク６０を引き込んでターンテーブル７１にセットする際に、クランパ８０側の各アンテナ８１，８２の端子電極８１a，８１b，８２a，８２bと光ディスク６０側の各ＩＣチップ６１，６２の端子電極６１a，６１b，６２a，６２bを接合させるための位置決めが容易になる。
例えば、光ディスク６０を引き込み、クランパ８０を降下させて光ディスク６０に接近させ、その状態でスピンドルモータ７０を低速で回転させると光ディスク６０はターンテーブル７１に載置された状態で回転させると、クランパ８０側の各マグネット８３，８４と光ディスク６０側の各マグネット６３，６４が吸着条件で対向した状態になった時に光ディスク６０がクランパ８０側に吸着される。
そして、その状態では前記の各端子電極同士の接合条件が成立しているため、クランパ８０をターンテーブル７１側に移動させて光ディスク６０を挟持させると、光ディスク６０側の各ＩＣチップ６１，６２とクランパ８０側の各アンテナ８１，８２によって２つのＲＦＩＤタグが構成されることになる。
【００３７】
従って、この実施形態によれば、光ディスク６０におけるＩＣチップ６１，６２とその端子電極６１a，６１b，６２a，６２b及びマグネット６３，６４の配設条件と光ディスク側のクランパ８０の構成を規格化しておけば、光ディスク６０のアンテナを埋設する必要が無く、ＲＦＩＤタグ内蔵の光ディスク６０を安価に提供できる。
尚、上記の各実施形態の場合と同様に、この実施形態の光ディスク６０及びクランパ８０に関しても慣性モーメントに係る平衡が確保されているため、振動や回転ムラは発生しない。
【図面の簡単な説明】
【００３８】
【図１】本発明の実施形態１に係るＲＦＩＤタグ内蔵式光ディスクの平面図（Ａ）及び前記平面図におけるＹ-Ｙ矢視断面図（Ｂ）である。
【図２】実施形態１に係るＲＦＩＤタグ内蔵式光ディスクの他の例を示す平面図である。
【図３】実施形態２に係るＲＦＩＤタグ内蔵式光ディスクの平面図（Ａ）及び前記平面図におけるＹ-Ｙ矢視断面図（Ｂ）である。
【図４】実施形態２のＲＦＩＤタグ内蔵式光ディスクに対応した光ディスク装置のブロック回路図である。
【図５】実施形態３に係るＲＦＩＤタグ内蔵式光ディスクの平面図（Ａ）及び前記平面図におけるＹ-Ｙ矢視断面図（Ｂ）である。
【図６】実施形態３に係る光ディスクのＲＦＩＤタグ内蔵部分の拡大平面図である。
【図７】実施形態４の光ディスクのＲＦＩＤタグ構成方式に係る光ディスクと光ディスク装置側のクランパの構成図である。（Ａ）は光ディスクの平面図、（Ｂ）はクランパの内部構造を示す概略図、（Ｃ）はクランパの光ディスクに対する挟圧面の平面図である。
【図８】従来技術（特許文献１）に係るＲＦＩＤタグ内蔵式光ディスクの平面図（Ａ）及び前記平面図におけるＹ-Ｙ矢視断面図（Ｂ）である。
【図９】ＲＦＩＤタグのブロック回路図、及び光ディスク装置におけるＲＦＩＤタグに対するリード／ライトに関連した部分のブロック回路図である。
【符号の説明】
【００３９】
１０，２０，４０，６０，１００…光ディスク、１０c，２０c，４０c…光ディスクの中心、１１，１０１…データ記憶領域、１２，１０２…中心孔、１３，１０３…環状領域、１４，２２，２５，４４，５１，５２，８１，８２，１０４，２０１a，２０１b…アンテナ、１５，２１，２４，４５，６１，６２，１０５…ＩＣチップ、１６，２３，２６，４６，１０６…ＲＦＩＤタグ、１７…ダミーブロック、１８…円弧状線材、３０…システム制御部、３１…ローダ部、３２…ローダ駆動部、３３…ターンテーブル・スピンドルモータ、３４…光りピックアップ、３５…サーボ制御部、３６，２０８…表示部、３７…操作部、３８…信号処理部、３９…入出力Ｉ／Ｆ、５３，１２１，２０２…ＲＦ回路、５４，１２２，２０３…変調回路、５５，１２３，２０４…復調回路、５６…ＲＦＩＤ制御部、６１a，６１b，６２a，６２b，８１a，８１b，８２a，８２b…端子電極、６３a，６３b，６４a，６４b，８３a，８３b，８４a，８４b…マグネット、７０…スピンドルモータ、７１…ターンテーブル、８０…クランパ、１２４，２０５…ＣＰＵ、１２５…メモリ、１２６，２０６…電源回路、２００…光ディスク装置のＲＦＩＤタグに対するリード／ライトに関連した部分、２０７…記憶手段。
【図１】
2005209323.tif 000003
【図２】
2005209323.tif 000004
【図３】
2005209323.tif 000005
【図４】
2005209323.tif 000006
【図５】
2005209323.tif 000007
【図６】
2005209323.tif 000008
【図７】
2005209323.tif 000009
【図８】
2005209323.tif 000010
【図９】
2005209323.tif 000011